(57)【特許請求の範囲】
【請求項１】
無線周辺域を移動するユーザ装置（ＵＥ）への無線送信及びＵＥからの無線送信を協調させるために、無線周辺域において拡張ノード基地局（ｅＮＢ）により拡張協調マルチポイント伝送を使用するステップであり、前記無線周辺域におけるセル領域は、クラスタを形成するように結合され、各クラスタは、複数のセル領域を有し、各セル領域は、複数のｅＮＢのうち１つにより占有されるステップと、
無線送信に使用される周波数帯域を割り当てるために、前記クラスタにおいて前記ｅＮＢにより拡張フラクショナル周波数繰り返しを使用するステップであり、前記クラスタは、中心領域と複数の端領域とに分割され、前記複数の端領域は、前記クラスタを構成する前記複数のセル領域の端に実質的に対応するステップと
を有する方法。
【請求項２】
前記ｅＮＢにより拡張協調マルチポイント伝送を使用するステップは、
前記ｅＮＢにより、前記ＵＥと前記複数のｅＮＢとの間のパスロスを有する複数のパスロス計算を受信するステップと、
前記ｅＮＢにより、パスロスが所定の閾値を超える前記複数のｅＮＢのうち１つ以上を除去するステップであり、前記複数のｅＮＢのうち除去されていないｅＮＢは、協調ｅＮＢを有するステップと
を更に有する、請求項１に記載の方法。
【請求項３】
前記ｅＮＢにより、参照信号を前記ＵＥに送信するステップであり、前記参照信号は、前記ＵＥがチャネル方向を推定することを可能にするステップを更に有する、請求項２に記載の方法。
【請求項４】
前記ｅＮＢにより、前記協調ｅＮＢのそれぞれに対応するチャネル品質インジケータ（ＣＱＩ）及びプリコーディング行列インジケータ（ＰＭＩ）を受信するステップであり、前記ＣＱＩ及びＰＭＩは、前記ＵＥにより計算されるステップを更に有する、請求項３に記載の方法。
【請求項５】
前記ｅＮＢにより、前記計算されたＣＱＩ及びＰＭＩをスケジューラに送信するステップであり、前記スケジューラは、前記協調ｅＮＢを含む前記複数のｅＮＢの間のバックホール接続の一部であるステップを更に有する、請求項４に記載の方法。
【請求項６】
前記ｅＮＢにより、前記スケジューラにより形成された１つ以上のビームを受信するステップであり、前記１つ以上のビームは、前記バックホールを通じて前記協調ｅＮＢに送信され、前記１つ以上のビームは、各ＵＥに送信するために前記協調ｅＮＢにより使用されるステップを更に有する、請求項５に記載の方法。
【請求項７】
前記無線送信に使用される周波数帯域を割り当てるために、拡張フラクショナル周波数繰り返しを使用するステップは、
前記ｅＮＢにより、前記ＵＥが前記クラスタの前記中心領域に位置することを判定するステップと、
前記ｅＮＢにより、前記ＵＥへの無線送信及び前記ＵＥからの無線送信のために、前記割り当てられた周波数帯域のうち第１の周波数帯域を使用するステップと
を更に有する、請求項１に記載の方法。
【請求項８】
前記無線送信に使用される周波数帯域を割り当てるために、拡張フラクショナル周波数繰り返しを使用するステップは、
前記ｅＮＢにより、前記ＵＥが前記クラスタの前記複数の端領域のうち１つに位置することを判定するステップと、
前記ｅＮＢにより、前記ＵＥへの無線送信及び前記ＵＥからの無線送信のために、前記割り当てられた周波数帯域のうち複数の小さい方の周波数帯域のうち１つを使用するステップと
を更に有する、請求項１に記載の方法。
【請求項９】
無線周辺域のセル領域に存在する協調拡張ノード基地局（ｅＮＢ）への無線送信及び協調ｅＮＢからの無線送信を協調させるために、無線周辺域を移動するユーザ装置（ＵＥ）により拡張協調マルチポイント伝送を使用するステップであり、前記協調ｅＮＢは、前記無線周辺域の複数のｅＮＢのうち一部を有し、前記セル領域は、クラスタを形成するように結合され、各クラスタは、複数のセル領域を有し、各セル領域は、複数のｅＮＢのうち１つのｅＮＢにより占有されるステップと、
前記協調ｅＮＢへの無線送信及び前記協調ｅＮＢからの無線送信のために周波数帯域の一部を使用するステップであり、前記一部は、拡張フラクショナル周波数繰り返しを使用して割り当てられ、前記クラスタは、中心領域と複数の端領域とに分割され、前記複数の端領域は、前記クラスタを構成する前記複数のセル領域の端に実質的に対応するステップと
を有する方法。
【請求項１０】
前記ＵＥにより拡張協調マルチポイント伝送を使用するステップは、
前記ＵＥにより、複数のｅＮＢのそれぞれから前記ＵＥへのパスロスを計算し、複数の各パスロス計算を生じるステップと、
前記ＵＥにより、前記複数のパスロス計算と所定の閾値とを比較するステップと、
前記ＵＥにより、前記複数のｅＮＢのうち１つ以上を除去するステップであり、残りのｅＮＢが前記協調ｅＮＢを有するステップと
を更に有する、請求項９に記載の方法。
【請求項１１】
前記ＵＥにより、前記クラスタにおける前記協調ｅＮＢのそれぞれから参照信号を受信するステップと、
前記ＵＥにより、前記受信した参照信号に基づいて、前記ＵＥから前記協調ｅＮＢのそれぞれへのチャネル方向を推定するステップと
を更に有する、請求項１０に記載の方法。
【請求項１２】
前記ＵＥにより、前記協調ｅＮＢに対応するチャネル品質インジケータ（ＣＱＩ）及びプリコーディング行列インジケータ（ＰＭＩ）を計算するステップと、
前記ＵＥにより、前記計算されたＣＱＩ及びＰＭＩを前記協調ｅＮＢのホームｅＮＢに送信すステップと
を更に有する、請求項１１に記載の方法。
【請求項１３】
前記協調ｅＮＢへの無線送信及び前記協調ｅＮＢからの無線送信のために周波数帯域の一部を使用するステップは、
前記ＵＥにより、第１の周波数帯域を使用して受信するステップであり、前記ＵＥは、前記クラスタの前記中心領域に位置すると判定されるステップを更に有する、請求項９に記載の方法。
【請求項１４】
前記協調ｅＮＢへの無線送信及び前記協調ｅＮＢからの無線送信のために周波数帯域の一部を使用するステップは、
前記ＵＥにより、複数の小さい方の周波数帯域のうち１つを使用して前記協調ｅＮＢに送信するステップであり、前記ＵＥは、前記クラスタの前記複数の端領域のうち１つに位置すると判定されるステップを更に有する、請求項９に記載の方法。
【請求項１５】
プロセッサと、メモリと、ソフトウェアプログラムとを有する拡張基地局（ｅＮＢ）であって、
前記ソフトウェアプログラムは、前記メモリにロードされ、前記プロセッサにより実行された場合、
ＵＥと無線周辺域に位置する複数のｅＮＢとの間のパスロスを有する複数のパスロス計算を受信する動作と、
パスロスが所定の閾値を超える前記複数のｅＮＢのうち１つ以上を除去する動作であり、前記複数のｅＮＢのうち除去されていないｅＮＢは、協調ｅＮＢを有する動作と
を実行し、
前記ソフトウェアプログラムは、
前記ＵＥがクラスタの中心領域に位置する場合、前記ＵＥへの無線送信及び前記ＵＥからの無線送信のために、割り当てられた周波数帯域のうち第１の周波数帯域を使用する動作と、
そうでない場合、前記ＵＥへの無線送信及び前記ＵＥからの無線送信のために、前記割り当てられた周波数帯域のうち複数の小さい方の周波数帯域のうち１つを使用する動作と
を更に実行するｅＮＢ。
【請求項１６】
前記ソフトウェアプログラムは、参照信号を前記ＵＥに送信する動作であり、前記参照信号は、前記ＵＥがチャネル方向を推定することを可能にする動作を更に実行する、請求項１５に記載のｅＮＢ。
【請求項１７】
前記ソフトウェアプログラムは、前記協調ｅＮＢのそれぞれに対応するチャネル品質インジケータ（ＣＱＩ）及びプリコーディング行列インジケータ（ＰＭＩ）を受信する動作であり、前記ＣＱＩ及びＰＭＩは、前記ＵＥにより計算される動作を更に実行する、請求項１６に記載のｅＮＢ。
【請求項１８】
前記ソフトウェアプログラムは、前記計算されたＣＱＩ及びＰＭＩをスケジューラに送信する動作であり、前記スケジューラは、前記協調ｅＮＢを含む前記複数のｅＮＢの間のバックホール接続の一部である、請求項１７に記載のｅＮＢ。
【請求項１９】
前記ソフトウェアプログラムは、前記スケジューラにより形成された１つ以上のビームを受信する動作であり、前記１つ以上のビームは、前記バックホールを通じて前記協調ｅＮＢに送信され、前記１つ以上のビームは、各協調ｅＮＢに送信するために前記ＵＥにより使用される動作を更に実行する、請求項１８に記載のｅＮＢ。
【発明の詳細な説明】
【技術分野】
【０００１】
この出願は、協調マルチポイント伝送（ＣｏＭＰ：ｃｏｏｒｄｉｎａｔｅｄ  ｍｕｌｔｉ−ｐｏｉｎｔ  ｔｒａｎｓｍｉｓｓｉｏｎ）に関し、特にＣｏＭＰ機能を有するユーザ装置の干渉を軽減する方法に関する。
【背景技術】
【０００２】
従来のマルチセルシステムでは、セル端のユーザは、高いセル間干渉を受け、低い信号対干渉及び雑音比のため、高いスループットを実現することができない。図１は、複数のセル領域又はセル４０を有する無線周辺域（ｗｉｒｅｌｅｓｓ  ｎｅｉｇｈｂｏｒｈｏｏｄ）１００を示している。各セル領域は、基地局３０によりサービス提供される。基地局３０Ａ−３０Ｇは、無線周辺域１００を占有する（併せて基地局３０と呼ぶ）。無線周辺域１００を移動するモバイルデバイス又は他のユーザ装置（ＵＥ：ｕｓｅｒ  ｅｑｕｉｐｍｅｎｔ）２０は、ときどきセル領域４０の端に位置する。ＵＥ２０は基地局３０Ａによりサービス提供されるが、中心セル領域４０の端に存在する場合、ＵＥ２０は、周囲のセル領域のいくつかに位置する基地局（すなわち、基地局３０Ｂ、３０Ｃ、３０Ｄ及び３０Ｅ）から干渉を受けることがある。
【発明の概要】
【発明が解決しようとする課題】
【０００３】
従って、セル４０の端に位置するユーザ装置は、高いセル間干渉を受けることがあり、次に、このことは、低い信号対干渉及び雑音比（ＳＩＮＲ：ｓｉｇｎａｌ−ｔｏ−ｉｎｔｅｒｆｅｒｅｎｃｅ  ｐｌｕｓ  ｎｏｉｓｅ  ｒａｔｉｏ）のため、低いスループットを生じる。
【０００４】
従って、従来技術の欠点を克服する方法の継続したニーズが存在する。
【図面の簡単な説明】
【０００５】
【図１】従来技術によるセルラ領域とユーザ装置にサービス提供する基地局とを有する無線周辺域の図
【図２】或る実施例に従って拡張協調マルチポイント伝送及び拡張フラクショナル周波数繰り返しを含む拡張干渉軽減方法を使用する拡張基地局のブロック図
【図３】或る実施例に従って図２の拡張干渉軽減方法により使用される３つのセルから形成されたクラスタの図
【図４】或る実施例に従って図２の拡張干渉軽減方法により軽減されるクラスタ間干渉を示すために使用される複数のクラスタを有する無線周辺域の図
【図５】或る実施例に従って図２の拡張干渉軽減方法により使用される拡張協調マルチポイント伝送の図
【図６】或る実施例に従って図２の拡張干渉軽減方法により使用される基地局とバックホールとの間の動作を示す図
【図７】或る実施例に従って図２の拡張干渉軽減方法により使用される協調マルチポイント伝送を使用したクラスタの図
【図８】或る実施例に従って図２の拡張干渉軽減方法により使用される協調マルチポイント伝送を使用したバックホールの役目の図
【図９】或る実施例に従って図２の拡張干渉軽減方法により使用される拡張協調マルチポイント伝送を示すフローチャート
【図１０】或る実施例に従って図２の拡張干渉軽減方法により拡張フラクショナル周波数繰り返しを実行するために区分されたクラスタの図
【図１１】或る実施例に従って図２の拡張干渉軽減方法により実行される拡張フラクショナル周波数繰り返し動作を示すフローチャート
【発明を実施するための形態】
【０００６】
この文献の前述の態様及び多くの付随する利点は、添付図面と共に考慮されたときに以下の詳細な説明を参照することにより理解されるように、容易に認識される。添付図面において、特に言及しない限り、同様の参照符号は、様々な図面を通じて同様の部分を示す。
【０００７】
ここに記載の実施例に従って、セルのクラスタの端に位置するユーザ装置のクラスタ間干渉を除去する方法が開示される。この方法は、無線周辺域におけるセルの組み合わせ又はクラスタでフラクショナル周波数繰り返し（ＦＦＲ：ｆｒａｃｔｉｏｎａｌ  ｆｒｅｑｕｅｎｃｙ  ｒｅｕｓｅ）の原理を使用することにより動作する。セルの基地局は、協調マルチポイント伝送（ＣｏＭＰ：ｃｏｏｒｄｉｎａｔｅｄ  ｍｕｌｔｉ−ｐｏｉｎｔ  ｔｒａｎｓｍｉｓｓｉｏｎ）として知られる方式で基地局の動作を協調させる。クラスタの端のユーザを選び出すためにＦＦＲの原理を使用することにより、この方法は、干渉を軽減し、端のユーザのスループットを増加させる。この新たな方式は、従来のＦＦＲのクラスタレベルへの拡張として考えられてもよい。
【０００８】
以下の詳細な説明では、一例として、ここに記載の対象が実施され得る特定の実施例を示す添付図面に参照が行われる。しかし、この開示を読むことにより、他の実施例も当業者に明らかになることが分かる。従って、対象の範囲は特許請求の範囲により定められるため、以下の詳細な説明は限定的な意味で解釈されるべきではない。
【０００９】
図２は、或る実施例に従って拡張干渉軽減方法（拡張された干渉軽減方法）４００を使用する基地局３０のブロック図である。基地局３０は、最低でも、プロセッサ８２とメモリ８４とを備え、これにより、拡張干渉軽減方法４００がここで実行されてもよい。拡張干渉軽減方法４００は、新規な方法で２つの既知の原理（協調マルチポイント伝送及びフラクショナル周波数繰り返し）を拡張して組み合わせ、クラスタの端に位置するユーザ装置の干渉を軽減する。拡張干渉軽減方法４００を示すために、拡張協調マルチポイント伝送（拡張された協調マルチポイント伝送）２００及び拡張フラクショナル周波数繰り返し（拡張された周波数繰り返し）３００の原理と、これらの技術がどのように組み合わせられるかとについて、以下に詳細に説明する。或る実施例では、拡張干渉軽減方法４００は、基地局３０のメモリ８４にロードされ、そのプロセッサ８２により実行されるソフトウェアプログラムである。他の実施例では、拡張干渉軽減方法４００は、ソフトウェアとハードウェアコンポーネントとの組み合わせであり、ソフトウェア部分がプロセッサ８２により実行される。
【００１０】
背景技術の部分で紹介された図１の無線周辺域１００は、セル間干渉の原理を示している。ユーザ装置２０は、関係するセルの外部の基地局（すなわち、ユーザ装置のホーム基地局ではない基地局）から干渉を受ける。セル間干渉を除去し、ネットワークの容量を増加させるために、協調マルチポイント伝送（ＣｏＭＰ）として知られるネットワークＭＩＭＯ（ｍｕｌｔｉｐｌｅ−ｉｎｐｕｔ−ｍｕｌｔｉｐｌｅ−ｏｕｔｐｕｔ）が最近提案されている。ＣｏＭＰでは、限られた数の周辺セルがクラスタ（ＣｏＭＰセット）を形成し、新たに形成されたクラスタの基地局は、バックホールを通じて情報を交換することにより、クラスタのユーザにサービス提供するためにジョイント協調（ｊｏｉｎｔ  ｃｏｏｒｄｉｎａｔｉｏｎ）又はプリコーディングを実行する。
【００１１】
図３は、或る実施例によるクラスタ又はＣｏＭＰセット５０のブロック図である。クラスタ５０は、それぞれ拡張ノード基地局（ｅＮＢ：ｅｎｈａｎｃｅｄ  ｎｏｄｅ  ｂａｓｅ  ｓｔａｔｉｏｎ）３０Ａ、３０Ｂ及び３０Ｃをサポートする３つのセル４０Ａ、４０Ｂ及び４０Ｃで構成される。ここで使用される拡張ノード基地局は、ＣｏＭＰをサポートする基地局である。ＣｏＭＰによれば、クラスタ５０に入るユーザ装置２０（例えば、モバイルデバイス）は、基地局３０Ａ、３０Ｂ及び３０Ｃのそれぞれのジョイント協調によりサービス提供される。ユーザ装置２０は３つのｅＮＢによりジョイントで（併せて）サービス提供されるが、ｅＮＢのうち１つは、指定された“ホーム”基地局に留まる。ホームｅＮＢは、一般的にユーザ装置に最も近い基地局（例えば、ユーザ装置から最低のパスロスを有するもの）である。
【００１２】
ＣｏＭＰを使用することにより、クラスタ５０の内部のユーザの干渉は完全に除去されてもよい。しかし、前述の例（図１）のセル４０と同様に、クラスタ５０の端のユーザは、周辺クラスタの１つ以上の基地局により生じる干渉を受ける可能性がある（クラスタ間干渉）。
【００１３】
これは、図４の無線周辺域１００に示されている。周辺セル４０は、３つのサイズのクラスタ５０を形成する。３つの周辺セル４０Ａ、４０Ｂ及び４０Ｃは、クラスタ５０Ａ（青色）を形成し、周辺セル４０Ｄ、４０Ｅ及び４０Ｆは、クラスタ５０Ｂ（赤色）を形成し、周辺セル４０Ｇ、４０Ｈ及び４０Ｊは、クラスタ５０Ｃ（ライラック色）を形成する。ＵＥ２０は、クラスタ５０Ｂの端に位置する。クラスタ５０ＢのｅＮＢ３０Ｄ、３０Ｅ及び３０Ｆは、有用な信号をＵＥ２０に協調して送信し（黒色の矢印）、周辺クラスタのｅＮＢ３０Ｃ、３０Ｇ、３０Ｋ及び３０Ｍは、干渉信号をＵＥ２０に送信する（赤色の矢印）。このため、モバイルデバイスに対してクラスタ間干渉を生じる可能性がある。
【００１４】
拡張ＣｏＭＰ２００では、ＵＥ２０は、クラスタ５０の異なるｅＮＢから送信された参照信号９０を測定することにより、異なるｅＮＢへのそのチャネル方向を推定し、適切なプリコーディング行列インジケータ（ＰＭＩ：ｐｒｅ−ｃｏｄｉｎｇ  ｍａｔｒｉｘ  ｉｎｄｉｃａｔｏｒ）を使用することにより、測定された情報をその“ホーム”ｅＮＢにフィードバックする。更に、ＵＥ２０は、ＳＩＮＲを推定することにより、異なるｅＮＢからのチャネル品質を測定し、適切なＣＱＩをその“ホーム”ｅＮＢに報告する。
【００１５】
或る実施例による拡張ＣｏＭＰ動作２００は、図５に示されている。一例として図４からのクラスタ５０Ｂを使用すると、ＵＥ２０は、それぞれｅＮＢ３０Ｄ、３０Ｅ及び３０Ｆから参照信号９０Ｄ、９０Ｅ及び９０Ｆを受信する。ＵＥ２０は、異なるｅＮＢへのそのチャネル方向を推定するために、これらの参照信号を使用し、ＰＭＩ計算７０として図５に示すように、ＰＭＩを使用して、測定された情報をホームｅＮＢに送信する。更に、ＵＥ２０は、これらの同じｅＮＢ３０Ｄ、３０Ｅ、３０Ｆからチャネル品質を測定し、ＣＱＩ計算８０として図５に示すように、測定されたＣＱＩをホームｅＮＢに送信する。図５の例では、ｅＮＢ３０ＦがホームｅＮＢである。
【００１６】
更に、或る実施例では、各ＵＥ２０は、クラスタ５０のｅＮＢ３０からＵＥ２０へのパスロスを計算し、これを所定の閾値と比較することに基づいて、その協調の実際のサイズを判定する。従って、実際の“協調ｅＮＢ”（例えば、拡張ＣｏＭＰ２００を実行するために使用されるｅＮＢの数）は、クラスタのｅＮＢの数より少なくてもよい。一例として、ｅＮＢ３０Ｄについてパスロスが所定の閾値を超えた場合、ｅＮＢ３０Ｅ及びｅＮＢ３０Ｆが協調ｅＮＢであり、ｅＮＢ３０Ｄは、拡張ＣｏＭＰ動作２００に参加しない。
【００１７】
図６は、３つのセル４０Ａ、４０Ｂ、４０Ｃを有するクラスタ５０の３つのｅＮＢ３０Ａ、３０Ｂ、３０Ｃがそれぞれの信号３２Ａ、３２Ｂ、３２ＣをＵＥ２０にジョイントで送信する例を示している。或る実施例では、チャネル情報及びデータ交換３６に示すような信号伝送に関連する情報の全ては、ＵＥ２０へのジョイント信号伝送に使用されるため、バックホール３４を通じてクラスタ５０の全てのｅＮＢの間で共有される。バックホール３４は、実際には、無線周辺域のｅＮＢを接続するリンクであり、データ及びチャネル情報をｅＮＢに伝送するために使用される。
【００１８】
図７は、３つのセル４０Ａ、４０Ｂ、４０Ｃを有するクラスタ５０の図である。或る実施例に従って、各セルは、それぞれｅＮＢ４０Ａ、４０Ｂ及び４０Ｃを有しており、異なるＵＥ２０Ａ、２０Ｂ、２０Ｃにサービス提供する。ＵＥ２０が異なるｅＮＢから送信された参照信号を測定し（これは、ＵＥがｅＮＢへのチャネル方向を推定する方法である）、ＰＭＩを使用して（ＰＭＩ計算７０）この情報をそのホームｅＮＢにフィードバックするという図５を思い出す。ＵＥ２０はまた、ＳＩＮＲを推定することにより（ＣＱＩ計算８０）、異なるｅＮＢからのチャネル品質を推定し、これをホームｅＮＢに同様に報告する。図７は、ＰＭＩ／ＣＱＩフィードバック３８（各ＵＥ２０Ａ、２０Ｂ、２０Ｃによりその各ホームｅＮＢ４０Ａ、４０Ｂ、４０ＣにフィードバックされるＰＭＩ計算７０及びＣＱＩ計算８０の結果）を示している。図７は、ｅＮＢが相互に直接通信しているように見えるが、チャネル情報及びデータ交換３６は、バックホール３４（図示せず）を通じてｅＮＢの間で提供される。チャネル情報及びデータは、クラスタ５０の全てのｅＮＢの間で共有される。
【００１９】
図８は、或る実施例に従って図６で最初に紹介されたバックホール３４の詳細な図を提供する。クラスタ５０は、３つのｅＮＢ４０Ｇ、４０Ｈ、４０Ｊと、６個のＵＥ２０Ｍ、２０Ｎ、２０Ｐ、２０Ｑ、２０Ｒ、２０Ｓとを含む。各ｅＮＢは、バックホール３４と通信する。ｅＮＢがチャネル情報及びデータ交換３６として示される情報を収集した後に、バックホール３４に接続された中央プロセッサ３６のスケジューラ及びビームフォーマ４２は、データ４４及びチャネル情報４６を収集し、サービス提供されるクラスタ５０のＵＥを選択する。スケジューラ及びビームフォーマ４２は、クラスタ５０においてＵＥ間の干渉を取り消すために使用されるプリコーディング行列を更に計算する。或る実施例では、スケジューラ及びビームフォーマは、プリコーディング行列を計算するために、ゼロフォーシング・ビームフォーミング（ＺＦＢＦ：ｚｅｒｏ−ｆｏｒｃｉｎｇ  ｂｅａｍｆｏｒｍｉｎｇ）を使用する。この計算に続いて、選択されたＵＥに送信される適切な信号が各ｅＮＢ４０Ｇ、４０Ｈ、４０Ｊに送信される。図８において、この分析の中でＵＥ２０Ｎ、２０Ｑ及び２０Ｒは選択されるが、ＵＥ２０Ｍ、２０Ｐ及び２０Ｓは選択されない。
【００２０】
図９は、或る実施例に従って前述の拡張ＣｏＭＰ動作２００をまとめたフローチャートである。図５に示すように、ＵＥは、クラスタ５０の各ｅＮＢから参照信号を受信する（ブロック２０２）。これらの参照信号から、ＵＥは、クラスタの各ｅＮＢへのそのチャネル方向を推定することができる（ブロック２０４）。ＵＥは、全ての協調ｅＮＢに対応するＣＱＩ（ＣＱＩ計算８０）及びＰＭＩ（ＰＭＩ計算７０）を計算する（ブロック２０６）。ただし、協調ｅＮＢの数は、クラスタ内の全てのｅＮＢより少なくてもよい。計算されたＣＱＩ８０及びＰＭＩ７０は、ホームｅＮＢに送信され（ブロック２０８）、また、中央プロセッサ８６に位置するスケジューラ及びビームフォーマ４２（図８参照）により受信される（ブロック２１０）。最後に、スケジューラ及びビームフォーマ４２は、ＵＥを選択し、ＵＥに送信するためのビームを形成し、これらをバックホールを通じてｅＮＢに送信する。そして、これらはＵＥに送信される（ブロック２１２）。
【００２１】
拡張ＣｏＭＰ２００を使用することにより、クラスタ５０の内部のＵＥの干渉が完全に除去される可能性があるが、クラスタの端のＵＥは、ここでクラスタ間干渉として知られる周辺クラスタのＵＥにより生じる干渉により悪影響を受ける可能性がある。従って、図１のＵＥ２０により受けるセル間干渉と同様に、図４のＵＥ２０Ａは、セル４０がＣｏＭＰについて構成されている場合にクラスタ間干渉を受ける。
【００２２】
クラスタ間干渉を除去するために、或る実施例に従ってクラスタ間干渉軽減（ＩＣＩＭ：ｉｎｔｅｒ−ｃｌｕｓｔｅｒ  ｉｎｔｅｒｆｅｒｅｎｃｅ  ｍｉｔｉｇａｔｉｏｎ）方法４００が提案される。ＩＣＩＭ方法４００では、拡張フラクショナル周波数繰り返し（ＦＦＲ）３００が、クラスタの端のＵＥにより受ける干渉を軽減することにより、このようなクラスタの端のＵＥのスループットを増加させるために、前述の拡張ＣｏＭＰ２００と共に使用される。図１０は、各クラスタ内の基地局が各クラスタを移動するＵＥへの動作／ＵＥからの動作を協調させるために、前述の拡張ＣｏＭＰ２００と、拡張ＦＦＲ３００とを使用する３つのクラスタ５０Ａ、５０Ｂ、５０Ｃを示す図である。クラスタに対してフラクショナル周波数繰り返しの原理を使用して、各クラスタ５０Ａ、５０Ｂ、５０Ｃは、中心領域６２（緑）と、端領域とに区分される。クラスタ５０Ａは黄色の端領域６４Ａを有し、クラスタＢは青色の端領域６４Ｂを有し、クラスタ５０Ｃは赤色の端領域を有する。図１０の記述は、単にクラスタが中心領域と端領域とに区分されることを表しており、それぞれの相対量を反映することを意図するものではない。従って、端領域は、図１０に示すものより大きく（厚く）てもよく、小さく（薄く）てもよい。
【００２３】
各クラスタは、図１０にも示されている所定の周波数帯域を有しており、これにより、いずれかのクラスタの中心領域６２に存在するＵＥは周波数範囲５２を利用し、端領域に存在するＵＥは周波数帯域の小さいが専用の領域を利用する。端領域６４Ａ（クラスタ５０Ａ）のＵＥは周波数範囲５４を利用し、端領域６４Ｂ（クラスタ５０Ｂ）のＵＥは周波数範囲５６を利用し、端領域６４Ｃ（クラスタ５０Ｃ）のＵＥは周波数範囲５８を利用する。図１０の周波数帯域の図は、端のＵＥのようにクラスタ間干渉を受ける可能性の低いクラスタの中心のＵＥが、緑色で示す周波数帯域５２を共有することができることを示している。他方、端に位置するＵＥは、セル間干渉を受ける可能性が高く、このような干渉を軽減するために、周波数帯域５４（黄色）、５６（青色）又は５８（赤色）の専用の部分を提供される。クラスタ５０Ａの端領域６４Ａに位置するＵＥは、同じ端領域６４Ａに位置する他のＵＥのみと周波数帯域５４を共有するが、クラスタＢの端領域６４Ｂに位置するＵＥと周波数帯域を共用しない。その代わりに後者のＵＥは周波数帯域５６を使用する。このように、端のＵＥは、干渉なしに各ｅＮＢに送信して各ｅＮＢから受信する可能性が高くなる。
【００２４】
図１１は、或る実施例に従ってＩＣＩＭ方法４００（図２）の拡張ＦＦＲ３００により実行される動作を示すフローチャートである。まず、セル４０はクラスタ５０を形成するように結合される（ブロック３０２）。ここでの例では、クラスタは３のサイズであり、３つのセルがクラスタを構成するが、クラスタのサイズは大きくてもよく、小さくてもよい。システムリソース（すなわち、周波数帯域）は、ＦＦＲを実行するのに適した直交リソースに分割される（ブロック３０４）。
【００２５】
次に、ＩＣＩＭ方法４００の拡張ＦＦＲ３００は、ＵＥの位置を判定する（ブロック３０６）。ＵＥが端領域６４Ａ、６４Ｂ又は６４Ｃの１つに位置する場合（ブロック３０６の“ＹＥＳ”の矢印）、拡張ＦＦＲ方法３００は、端領域のＵＥのためのリソース（すなわち、周波数帯域５４、５６又は５８）を割り当てる（ブロック３１０）。そうでない場合、ＵＥはクラスタ５０の１つの中心領域に位置しており、拡張ＦＦＲ３００は、それに従ってリソース（すなわち、周波数帯域５２）を割り当てる（ブロック３０８）。いずれの場合でも、拡張ＦＦＲ３００は、前述の拡張ＣｏＭＰ２００（図９）を使用して（すなわち、ＵＥにサービス提供するために動作を協調させるクラスタ５０に存在するｅＮＢ３０により）ＵＥにサービス提供する。
【００２６】
拡張ＣｏＭＰ２００と拡張ＦＦＲ３００とを組み合わせることにより、ＩＣＩＭ方法４００は、クラスタの全てのユーザについて干渉が除去（又はかなり低減）されることを確保する。クラスタの内部のユーザについては、干渉は、拡張ＣｏＭＰ２００により軽減され、クラスタの端のユーザについては、干渉は、拡張ＦＦＲ３００により軽減される。更に、或る実施例では、システムの全体スループットが改善する。
【００２７】
限られた数の実施例に関して本願を説明したが、当業者はここから複数の変更及び変形を認識する。特許請求の範囲は、本発明の真の要旨及び範囲内に入る全てのこのような変更及び変形をカバーすることを意図する。
【図１】
0005745176.tif 000002
【図２】
0005745176.tif 000003
【図３】
0005745176.tif 000004
【図４】
0005745176.tif 000005
【図５】
0005745176.tif 000006
【図６】
0005745176.tif 000007
【図７】
0005745176.tif 000008
【図８】
0005745176.tif 000009
【図９】
0005745176.tif 000010
【図１０】
0005745176.tif 000011
【図１１】
0005745176.tif 000012